(57)【要約】【課題】  照明負荷や照明器具構造及び照明器具設置場所などの組合せの違いによる検出照度の変化に対応して制御動作が可能な照明装置を提供する。また、このような照明装置を有している照明器具としても、照明負荷や照明器具構造及び照明器具設置場所などの組合せの違いによる検出照度の変化に対応して制御動作を可能とする。【解決手段】  照度検出手段１１によって検出された周囲の照度が予め設定された所定照度以下になり、照明負荷１８を調光点灯制御する照明装置１０において、照明負荷１８の連続点灯（フル点灯）制御中における照度検出手段１１での検出照度に応じて連続点灯制御の消灯しきい値を新たに設定するものである。【選択図】図１
2006059828.tif 000002
【特許請求の範囲】
【請求項１】
周囲の明るさを検出する照度検出手段と、人体の存在を検知する人体検知手段と、照明負荷を点灯制御する制御部と、タイマー部とを備え、前記照度検出手段によって検出された周囲の照度が予め設定された所定照度以下の場合に前記人体検知手段が人体を検知したときには、前記照明負荷をフル点灯（１００％点灯）制御し、前記人体検知手段が人体を検知しないときには、前記タイマー部が動作中は、前記照明負荷を調光点灯制御させ、前記タイマー部が動作完了後は、前記照明負荷を消灯させる制御手段（第一の制御手段）と、停電検知回路部を備え、スイッチの操作と組合せ、電源ＯＦＦ、ＯＮによる電源ＯＦＦ時間が所定時間内であるかどうかを判定し、所定時間内であれば、前記第一の制御手段から、人体検知手段と照度検出手段の出力に関係なく強制的に前記照明負荷を連続点灯（フル点灯）させる制御手段（第二の制御手段）へ移行させる照明装置において、照明負荷の連続点灯（フル点灯）制御中における照度検出手段での検出照度に応じて連続点灯制御の消灯しきい値を設定することを特徴とする照明装置。
【請求項２】
照明負荷の連続点灯制御中における照度検出手段での検出照度に応じて消灯しきい値を設定する前記制御動作を、前記連続点灯制御開始時点に行うことを特徴とする請求項１記載の照明装置。
【請求項３】
照明負荷の連続点灯制御中における照度検出手段での検出照度に応じて消灯しきい値を設定する前記制御動作を、前記連続点灯制御開始時点からタイマー部を動作を開始し、所定時間遅れで行うことを特徴とする請求項１記載の照明装置。
【請求項４】
消灯しきい値以下であるかどうかを判定し、しきい値以下である場合は照明負荷を連続点灯（フル点灯）制御し、しきい値以下でない場合には、照明負荷を消灯制御する照明装置において、人体検知手段により人体の存在が検知されたとき、及び人体検知によりフル点灯状態を保持させる時間である点灯保持時間ｔの間は、前記消灯しきい値以下であるかどうかの判定動作をしないことを特徴とする請求項１記載の照明装置。
【請求項５】
請求項１ないし請求項４いずれか記載の照明装置を有していることを特徴とする照明器具。
【発明の詳細な説明】
【技術分野】
【０００１】
本発明は、照明装置に関し、さらに詳しくは、人体検知手段と照度検出手段とを有する照明装置に関するものである。
【背景技術】
【０００２】
従来の照明装置としては、一般的に周囲の明るさを検出する照度検出手段と、人体の存在を検知する人体検知手段と、照明負荷を点灯制御する制御部とを備えており、照度検出手段によって検出された周囲の照度が予め設定された所定照度以下の場合であって、人体検知手段が人体の存在を検知しないときには、照明負荷を調光点灯状態に制御し、またその状態において、人体検知手段で人体の存在を検知したときには、調光点灯状態からフル点灯（１００％点灯）状態へ制御される。また、照度検出手段での検出照度が所定照度よりも高くなると、人体検知の有無に関わらず照明負荷を消灯されるようにしている。
【０００３】
しかし、この場合、照度検出手段での検出照度が所定照度以下である限り、人体の存在を検知しなくても照明負荷は調光点灯状態を継続するため、例えば夜間では一晩中、必要がなくても照明負荷が点灯され、電力が浪費されるという問題点があった。
【０００４】
この問題点を解決するために、例えば、特開平１０−１５４５８９号公報に記載されているものがある。この照明装置は、図１４に示すブロック図のように、周囲の明るさを検出する照度検出手段１１と、人体の存在を検知する人体検知手段１２と、前記照度検出手段１１及び人体検知手段１２の信号を受けて照明負荷１８の点灯制御信号を出力する制御部１３と、前記制御部１３に接続されたタイマー部１４と、前記タイマー設定時間を設定する時間設定部１５と、制御部１３より出力される制御信号を受けて照明負荷１８を点灯制御する点灯回路部１６と、商用電源２０から直流電圧を生成する電源回路部１７と、照明負荷（光源）１８とを備えている。
【０００５】
動作を簡単に説明すると、タイマー部１４が時間設定部１５によってタイマー設定時間Ｔが設定された状態で、照度検出手段１１によって検出された周囲の照度が予め設定された所定照度以下になると、制御部１３からの信号を受けて、タイマー部１４はタイマー動作を開始する。
【０００６】
次に、検出照度が所定照度以下であって時間設定部１５で設定されたタイマー設定時間Ｔの間、つまり検出照度が所定照度以下のときであってタイマー部１４の動作中の場合は、人体検知手段１２が人体を検知したときに、照明負荷１８がフル点灯（１００％点灯）状態で点灯制御されて、人体検知終了後もフル点灯状態を点灯保持時間ｔだけ保持制御されている。また、照度検出手段１１の検出照度が所定照度以下の場合であって、タイマー設定時間Ｔの間で、人体検知手段１２が人体を検知しないときには、照明負荷１８を調光制御するものである。
【０００７】
また、タイマー部１４のタイマー動作完了後の場合は、人体検知手段１２により人体の存在が検知されたときには、照明負荷１８をフル点灯状態に制御し、人体検知終了後もフル点灯状態を点灯保持時間ｔだけ保持制御され、人体の存在が検知されないときは、照明負荷１８を消灯制御する。また、照度検出手段１１での検出照度が所定照度よりも高くなると、タイマー部１４が動作中であっても照明負荷１８を消灯制御されるようになっている。図１５は、上述の照明装置１０の制御動作のフローチャートを示したものであり、図１６は、その制御動作のタイミングチャートを示したものである。
【０００８】
このように構成した照明装置１０を、例えば、玄関などの照明器具内に組み込むことで、タイマー部１４の動作中は、人体の存在を検知しなくても照明負荷１８を調光制御することで暗くなく、防犯上好ましいばかりか、その状態で、人体が検知されるとフル点灯制御されて十分な明るさを確保でき、人を出迎える最適な明かりを得ることができるものである。
【０００９】
また、タイマー設定時間により調光点灯制御させる時間が設定されているため、照明負荷１８は照度検出手段１１の検出照度が所定照度以下の場合であっても、タイマー設定時間のカウント動作完了後は、人体検知時以外では照明負荷１８を消灯制御させることにより、電力が浪費されることがなく、更に前記タイマー部１４に時間設定部１５を設けていることで、調光点灯制御時間も自在に設定できるものであった。
【特許文献１】特開平１０−１５４５８９号公報
【発明の開示】
【発明が解決しようとする課題】
【００１０】
しかしながら、このような照明装置１０においては、照度検出手段１１での検出照度が予め設定された所定照度よりも高くなると、タイマー部１４が動作中であっても照明負荷１８が消灯制御されるため、照度検出手段１１と照明負荷１８との距離が近い位置に取り付けられた場合、または照明負荷１８のワット数が大きい場合や、照明装置を組み込んだ照明器具の設置場所が、例えば、反射の強い白っぽい床面を照らす場合などは、以下のような問題が生じる。
【００１１】
つまり、周囲の照度が予め設定された所定照度以下になり、照明負荷１８を調光制御した場合、周囲の照度だけでなく、照明負荷１８による自らの光も検出してしまうことで、照度検出手段１１の検出照度が前記所定照度よりも高くなり、照明負荷１８を消灯制御してしまう恐れがあるからである。
【００１２】
また、消灯制御された後、再び周囲の照度が前記所定照度以下になり、照明負荷１８が調光制御される、すなわち照明装置１０が調光制御と消灯制御を繰り返すという自己点滅現象の可能性がある。図１７は、その自己点滅現象のタイミングチャートを示したものである。
【００１３】
この問題を解決するため、所定照度を予め高く設定することもできるが、この場合、照度検出手段１１と照明負荷１８との距離が遠い位置に取り付けられた場合、または照明負荷１８のワット数が小さい場合は、周囲が明るくなったとき、つまり朝になったときに照度検出手段１１の検出照度が前記所定照度を超えないため、消灯制御されない、という別の問題が生じるものであった。
【００１４】
また、照度検出手段１１を照明負荷１８の光の影響を受けないように配置することもできるが、照明器具構造や照明負荷１８を限定する必要があり、設計が困難となり、好ましくないものであった。
【００１５】
本発明は、上述の事実に鑑みてなされたものであって、その目的とするところは、周囲の照度が予め設定された所定照度以下になり、照明負荷を調光制御するときにおいて、照度検出手段と照明負荷との距離が近い位置に取り付けられた場合、または、照明負荷のワット数が大きい場合や、照明装置を組み込んだ照明器具の設置場所が、例えば反射の強い白っぽい床面を照らす場合に、照明負荷による自らの光を検出して、検出照度が所定照度よりも高くなり、照明負荷を消灯制御してしまう、という問題点を解決しながら、照度検出手段と照明負荷との距離が遠い位置に取り付けられた場合や、照明負荷のワット数が小さい場合においても、周囲が明るくなったとき、つまり朝になったときには確実に消灯制御できる、すなわち照明負荷や照明器具構造及び照明器具設置場所などの組合せの違いによる検出照度の変化に対応して制御動作が可能な照明装置を提供することにある。
【課題を解決するための手段】
【００１６】
本発明の請求項１に係る照明装置は、周囲の明るさを検出する照度検出手段１１と、人体の存在を検知する人体検知手段１２と、照明負荷１８を点灯制御する制御部１３と、タイマー部１４とを備え、前記照度検出手段１１によって検出された周囲の照度が予め設定された所定照度以下の場合に前記人体検知手段１２が人体を検知したときには、前記照明負荷１８をフル点灯（１００％点灯）制御し、前記人体検知手段１２が人体を検知しないときには、前記タイマー部１４が動作中は、前記照明負荷１８を調光点灯制御させ、前記タイマー部１４が動作完了後は、前記照明負荷１８を消灯させる制御手段（第一の制御手段）と、停電検知回路部１９を備え、スイッチ３０の操作と組合せ、電源ＯＦＦ、ＯＮによる電源ＯＦＦ時間が所定時間内であるかどうかを判定し、所定時間内であれば、前記第一の制御手段から、人体検知手段１２と照度検出手段１１の出力に関係なく強制的に前記照明負荷１８を連続点灯（フル点灯）させる制御手段（第二の制御手段）へ移行させる照明装置において、照明負荷１８の連続点灯（フル点灯）制御中における照度検出手段１１での検出照度に応じて連続点灯制御の消灯しきい値を設定することを特徴とする。
【００１７】
本発明の請求項２に係る照明装置は、照明負荷１８の連続点灯制御中における照度検出手段１１での検出照度に応じて消灯しきい値を設定する前記制御動作を、前記連続点灯制御開始時点に行うことを特徴とする。
【００１８】
本発明の請求項３に係る照明装置は、照明負荷１８の連続点灯制御中における照度検出手段１１での検出照度に応じて消灯しきい値を設定する前記制御動作を、前記連続点灯制御開始時点からタイマー部１４を動作を開始し、所定時間遅れで行うことを特徴とする。
【００１９】
本発明の請求項４に係る照明装置は、消灯しきい値以下であるかどうかを判定し、しきい値以下である場合は照明負荷１８を連続点灯（フル点灯）制御し、しきい値以下でない場合には、照明負荷１８を消灯制御する照明装置において、人体検知手段１２により人体の存在が検知されたとき、及び人体検知によりフル点灯状態を保持させる時間である点灯保持時間ｔの間は、前記消灯しきい値以下であるかどうかの判定動作をしないことを特徴とする。
【００２０】
本発明の請求項５に係る照明器具は、請求項１ないし請求項４いずれか記載の照明装置１０を有していることを特徴とする。
【発明の効果】
【００２１】
このように構成したため、本発明の照明装置によると、照度検出手段と照明負荷との距離が近い位置に取り付けられた場合や照明負荷のワット数が大きい場合、また、照明装置を組み込んだ照明器具の設置場所が、例えば反射の強い白っぽい床面を照らす場合などにおいても、照明負荷による自らの光も検出したことにより制御部が照明負荷を消灯制御してしまうことがなく、また、照度検出手段と照明負荷との距離が遠い位置に取り付けられた場合や、照明負荷のワット数が小さい場合においても、周囲が明るくなったとき、つまり朝になったときには確実に消灯制御できる、すなわち照明負荷や照明器具構造及び照明器具設置場所などの組合せの違いによる検出照度の変化に対応して制御動作が可能となるものである。
【００２２】
また、上述したように構成したため、このような照明装置を有している照明器具としても、照明負荷や照明器具構造及び照明器具設置場所などの組合せの違いによる検出照度の変化に対応して制御動作が可能となるものである。
【発明を実施するための最良の形態】
【００２３】
以下、本発明を実施形態及び参考形態に係る図面に基づいて詳しく説明する。
【００２４】
図１は、本発明の第１および第２の参考形態の構成を示すブロック図である。図２は、本発明の第１の参考形態の制御動作を示したフローチャートである。図３は、本発明の第１の参考形態の制御動作を示したタイミングチャートである。図４は、本発明の第１の参考形態の制御動作を示したタイミングチャートである。図５は、本発明の第２の参考形態の制御動作を示したフローチャートである。図６は、本発明の第２の参考形態の制御動作を示したタイミングチャートである。図７は、本発明の第１、第２および第３の実施形態の構成を示すブロック図である。図８は、本発明の第１の実施形態の制御動作を示したフローチャートである。図９は、本発明の第１の実施形態の制御動作を示したタイミングチャートである。図１０は、本発明の第２の実施形態の制御動作を示したフローチャートである。図１１は、本発明の第２の実施形態の制御動作を示したタイミングチャートである。図１２は、本発明の第３の実施形態の制御動作を示したフローチャートである。図１３は、本発明の第３の実施形態の制御動作を示したタイミングチャートである。
【００２５】
本発明の参考の照明装置は、図１に示すごとく、周囲の明るさを検出する照度検出手段１１と、人体の存在を検知する人体検知手段１２と、照明負荷１８を点灯制御する制御部１３と、タイマー部１４とを備え、前記照度検出手段１１によって検出された周囲の照度が予め設定された所定照度以下の場合に前記人体検知手段１２が人体を検知したときには、前記照明負荷１８をフル点灯（１００％点灯）制御し、人体を検知しないときには、前記タイマー部１４が動作中は、前記照明負荷１８を調光点灯制御させ、前記タイマー部１４が動作完了後は、前記照明負荷１８を消灯制御させる照明装置において、照明負荷１８の調光点灯制御中における照度検出手段１１での検出照度に応じて消灯しきい値を設定しているものである。
【００２６】
また、本発明の照明装置は、図７に示すごとく、周囲の明るさを検出する照度検出手段１１と、人体の存在を検知する人体検知手段１２と、照明負荷１８を点灯制御する制御部１３と、タイマー部１４とを備え、前記照度検出手段１１によって検出された周囲の照度が予め設定された所定照度以下の場合に前記人体検知手段１２が人体を検知したときには、前記照明負荷１８をフル点灯（１００％点灯）制御し、前記人体検知手段１２が人体を検知しないときには、前記タイマー部１４が動作中は、前記照明負荷１８を調光点灯制御させ、前記タイマー部１４が動作完了後は、前記照明負荷１８を消灯させる制御手段（第一の制御手段）と、停電検知回路部１９を備え、例えば壁スイッチのようなスイッチ３０の操作と組合せ、電源ＯＦＦ、ＯＮによる電源ＯＦＦ時間が所定時間内であるかどうかを判定し、所定時間内であれば、前記第一の制御手段から、人体検知手段１２と照度検出手段１１の出力に関係なく強制的に前記照明負荷１８を連続点灯（フル点灯）させる制御手段（第二の制御手段）へ移行させる照明装置において、照明負荷１８の連続点灯（フル点灯）制御中における照度検出手段１１での検出照度に応じて連続点灯制御の消灯しきい値を設定しているものであってもかまわないものである。
【００２７】
以下、本発明の実施形態、又は参考形態を個々に説明する。
【００２８】
（参考形態１）
図２は、本発明の第１の参考形態である照明装置の制御動作を示すフローチャートであり、構成を示すブロック図は、図１に示した通りで、上述した従来例と略同様であって、その動作が異なるだけであるので、同一符号を付すことにより説明を省略する。
【００２９】
以下、図２を用いて動作を説明する。まず、タイマー部１４が時間設定部１５によってタイマー設定時間Ｔが設定された状態で、照度検出手段１１によって検出された周囲の照度が予め設定された所定照度以下になると、制御部１３からの信号を受けて、タイマー部１４はタイマー動作を開始する。
【００３０】
次に、タイマー部１４の動作中の場合は、人体検知手段１２が人体を検知したときには、照明負荷１８がフル点灯（１００％点灯）状態で点灯制御されて、人体検知終了後もフル点灯状態を点灯保持時間ｔだけ保持制御される。また、タイマー設定時間Ｔの間で、人体検知手段１２が人体を検知しないときには、照明負荷１８を調光制御し、次のステップにて消灯しきい値の設定が済んだ状態であるかどうかの判断を行う。ここで、調光点灯制御開始直後であり、未設定状態であれば、制御部１３は照度検出手段１１により周囲の検出照度を読み込む（β値）。
【００３１】
そして、次に、制御部１３にて前記読み込んだ検出照度（β値）に応じて補正値（α値、例えばα＝５０ルクスに相当する値）を設定し、消灯しきい値を算出（α＋β値）、設定するものである。既に消灯しきい値の設定が済んだ状態であれば、照度検出手段１１での検出照度が設定された消灯しきい値以下であるかどうかを判断し、しきい値以下である場合は、照明負荷１８の調光制御を継続する。照度検出手段１１によって検出された周囲の照度が明るくなったとき、つまり朝になったときのように、消灯しきい値を超える場合は、タイマー部１４が動作中であっても照明負荷１８を消灯制御するものである。消灯制御後は、タイマー部１４でのカウント値をゼロクリアし、前記にて設定された消灯しきい値を破棄する。図３は、照度検出手段１１によって検出された周囲の照度が、タイマー部１４が動作中に消灯しきい値を超え、照明負荷１８を消灯制御する動作のタイミングチャートを示したものである。
【００３２】
また、タイマー部１４のタイマー動作完了後の場合、照度検出手段１１の検出照度が予め設定された所定照度以下であって、人体検知手段１２により人体の存在が検知されたときには、照明負荷１８をフル点灯状態に制御し、人体検知終了後もフル点灯状態を点灯保持時間ｔだけ保持制御され、人体の存在が検知されないときは、照明負荷１８を消灯制御する。ここで、周囲の照度が明るくなり、照度検出手段１１の検出照度が予め設定された所定照度を超える場合には、タイマー部１４でのカウント値をゼロクリアし、前記設定された消灯しきい値を破棄する。図４は、その制御動作のタイミングチャートを示したものである。
【００３３】
このように制御動作する照明装置においては、照度検出手段１１によって検出された周囲の照度が予め設定された所定照度以下になり、調光点灯制御すると、制御部１３は照度検出手段１１により調光点灯後の周囲の検出照度を読み込み（β値）、前記読み込んだ検出照度（β値）に応じて補正値（α値）を設定し、新たに消灯しきい値を算出（α＋β値）、設定するものであるため、照度検出手段１１と照明負荷１８との距離が近い位置に取り付けられた場合や照明負荷１８のワット数が大きい場合においても、照明負荷１８による自らの光も検出したことにより制御部１３が照明負荷１８を消灯制御してしまうことがなく、また、照度検出手段１１と照明負荷１８との距離が遠い位置に取り付けられた場合や、照明負荷１８のワット数が小さい場合においても、周囲が明るくなったとき、つまり朝になったときには確実に消灯制御できる。
【００３４】
（参考形態２）
図５は、本発明の第２の参考形態である照明装置の制御動作を示すフローチャートであり、図６は、その制御動作のタイミングチャートを示したものである。上述の第１の参考形態と異なる点は、図５および図６に示すように、照度検出手段１１により周囲の検出照度を読み込み（β値）、その値に応じて補正値（α値）を設定、消灯しきい値を算出（α＋β値）する動作に、所定時間の遅れを有したことを特徴とするものである。
【００３５】
このように制御動作する照明装置においては、まずタイマー部１４が時間設定部１５によってタイマー設定時間Ｔが設定された状態で、照度検出手段１１によって検出された周囲の照度が予め設定された所定照度以下になると、制御部１３からの信号を受けて、タイマー部１４はタイマー動作を開始する。タイマー設定時間Ｔの間で、人体検知手段１２が人体を検知しないときには、照明負荷１８を調光制御し、次に制御部１３はタイマー部１４のカウント値が所定時間（例えば８時間）を経過したかどうかの判断を行う。ここで、タイマー部１４の動作中であって所定時間を経過していない限り、制御部１３は照明負荷１８の調光制御を継続する。また、所定時間を経過した場合は、上述の第１の参考形態と同様に、消灯しきい値の設定が済んだ状態であるかどうかの判断を行い、経過した直後は未設定状態であるため、制御部１３は照度検出手段１１により周囲の検出照度を読み込み（β値）、その値に応じて補正値（α値、例えばα＝５０ルクスに相当する値）を設定、消灯しきい値を算出（α＋β値）する。
【００３６】
その後、タイマー部１４の動作中である限り、照度検出手段１１での検出照度が設定された消灯しきい値以下であるかどうかを判断し、しきい値以下である場合は、照明負荷１８の調光制御を継続する。また、照度検出手段１１によって検出された周囲の照度が明るくなったとき、つまり朝になったときのように、消灯しきい値を超える場合は、タイマー部１４が動作中であっても照明負荷１８を消灯制御するものである。その他の制御動作は上述の第１の参考形態と同様である。
【００３７】
このように制御動作するため、本参考形態の照明装置においては、前記第１の参考形態と略同様の効果に加えて、消灯しきい値の算出動作に所定時間の遅れを有したため、例えば、夕方などの不安定な照度の時間帯を避けて算出することができ、誤動作の要因が少ない効果もある。
【００３８】
（実施形態１）
図７は、本発明の第１の実施形態の構成を示すブロック図である。周囲の明るさを検出する照度検出手段と、人体の存在を検知する人体検知手段と、照明負荷を点灯制御する制御部と、タイマー部とを備え、照度検出手段によって検出された周囲の照度が予め設定された所定照度以下の場合に前記人体検知手段が人体を検知したときには、照明負荷をフル点灯（１００％点灯）制御し、前記人体検知手段が人体を検知しないときには、前記タイマー部が動作中は、照明負荷を調光点灯制御させ、前記タイマー部が動作完了後は、照明負荷を消灯させる制御手段（第一の制御手段）と、停電検知回路部１９を備え、例えば壁スイッチのようなスイッチ３０の操作と組合せ、電源ＯＦＦ、ＯＮによる電源ＯＦＦ時間が所定時間内であるかどうかを判定し、所定時間内であれば、制御部１３が前記第一の制御手段から、人体検知手段と照度検出手段の出力に関係なく強制的に照明負荷１８を連続点灯（フル点灯）させる制御手段（第二の制御手段）へ移行させる照明装置において、照明負荷１８の連続点灯（フル点灯）制御中における照度検出手段１１での検出照度に応じて連続点灯制御の消灯しきい値を新たに設定することを特徴とするものである。
【００３９】
以下、図８に示す制御動作のフローチャートを用いて動作を説明する。まず、制御部１３が人体検知手段と照度検出手段との出力に応じて、照明負荷を点灯制御する前記第一の制御状態時において、スイッチ３０の操作により電源がＯＦＦ、ＯＮされ、停電検知回路部１９によって検出された電源ＯＦＦ時間が所定時間内であれば、制御部１３は前記第一の制御手段から第二の制御手段へ移行し、照明負荷１８をフル点灯（１００％点灯）させる。次に、再び停電検知され、電源ＯＦＦ時間が所定時間内であれば、第一の制御手段へ移行するが、停電検知がない場合は、消灯しきい値の設定が済んだ状態であるかどうかの判断を行う。ここで、フル点灯制御開始直後であり、未設定状態であれば、制御部１３は照度検出手段１１により周囲の検出照度を読み込む（β値）。
【００４０】
次に、制御部１３にて前記読み込んだ検出照度（β値）に応じて補正値（α値、例えば、α＝５０ルクスに相当する値）を設定し、連続点灯制御の消灯しきい値を算出（α＋β値）、設定するものである。既に消灯しきい値の設定が済んだ状態であれば、照度検出手段１１での検出照度が設定された消灯しきい値以下であるかどうかを判断し、しきい値以下である場合は、照明負荷１８のフル点灯制御を継続する。照度検出手段１１によって検出された周囲の照度が明るくなったとき、つまり朝になったときのように、消灯しきい値を超える場合は、照明負荷１８を消灯制御するものである。消灯制御後は、前記にて設定された消灯しきい値を破棄し、第一の制御手段へ自動的に移行する。図９は、その制御動作のタイミングチャートを示したものである。
【００４１】
このように制御動作する照明装置においては、停電検知回路部１９によって検出された電源ＯＦＦ時間が所定時間内であって、制御部１３が第一の制御手段から第二の制御手段へ移行し、照明負荷１８をフル点灯（１００％点灯）すると、制御部１３は照度検出手段１１によりフル点灯後の周囲の検出照度を読み込み（β値）、前記読み込んだ検出照度（β値）に応じて補正値（α値）を設定し、新たに消灯しきい値を算出（α＋β値）、設定するものであるため、周囲が明るくなったとき、つまり朝になったときに、制御部１３が照明負荷１８を消灯制御し、自動的に第一の制御手段へ移行させる場合の制御動作において、照明負荷や照明器具構造及び照明器具設置場所などの組合せの違いによる検出照度の変化に対応することが可能である。
【００４２】
（実施形態２）
図１０は、本発明の第２の実施形態である照明装置の制御動作を示すフローチャートであり、図１１は、その制御動作のタイミングチャートを示したものである。上述の第１の実施形態と異なる点は、図１０および図１１に示すように、照度検出手段１１により周囲の検出照度を読み込み（β値）、その値に応じて補正値（α値）を設定、消灯しきい値を算出（α＋β値）する動作に、所定時間の遅れを有したことを特徴とするものである。
【００４３】
このように制御動作する照明装置においては、停電検知回路部１９によって検出された電源ＯＦＦ時間が所定時間内であって、制御部１３が第一の制御手段から第二の制御手段へ移行すると、制御部１３からの信号を受けて、タイマー部１４はタイマー動作を開始する。次に、照明負荷１８をフル点灯（１００％点灯）させ、再び停電検知され、電源ＯＦＦ時間が所定時間内であれば、第一の制御手段へ移行するが、停電検知がない場合は、制御部１３はタイマー部１４のカウント値が所定時間（例えば２時間）を経過したかどうかの判断を行う。
【００４４】
ここで、タイマー部１４が所定時間を経過していない限り、制御部１３は照明負荷１８のフル点灯制御を継続する。また、所定時間を経過した場合は、上述の第１の実施形態と同様に、消灯しきい値の設定が済んだ状態であるかどうかの判断を行い、経過した直後は未設定状態であるため、制御部１３は照度検出手段１１により周囲の検出照度を読み込み（β値）、その値に応じて補正値（α値、例えばα＝５０ルクスに相当する値）を設定、連続点灯制御の消灯しきい値を算出（α＋β値）する。
【００４５】
その後、照度検出手段１１での検出照度が設定された消灯しきい値以下であるかどうかを判断し、しきい値以下である場合は、照明負荷１８のフル点灯制御を継続する。また、照度検出手段１１によって検出された周囲の照度が明るくなったとき、つまり朝になったときのように、消灯しきい値を超える場合は、照明負荷１８を消灯制御するものである。消灯制御後は、タイマー部１４でのカウント値をゼロクリアし、前記にて設定された消灯しきい値を破棄する。
【００４６】
このように制御動作するため、本実施の照明装置においては、前記第１の実施形態と略同様の効果に加えて、消灯しきい値の算出動作に所定時間の遅れを有したため、例えば夕方などの不安定な照度の時間帯を避けて算出することができ、誤動作の要因が少ない効果もある。また、照明負荷１８が例えば電球型蛍光灯のように、点灯直後の初期光束特性が低い負荷などである場合に対しても、消灯しきい値の算出動作に所定時間の遅れを有することで、照明負荷１８の光束が十分安定した状態時に周囲の検出照度を読み込み、消灯しきい値を設定するため、誤動作の要因が更に少ない。
【００４７】
（実施形態３）
図１２は、本発明の第３の実施形態である照明装置の制御動作を示すフローチャートであり、図１３は、その制御動作のタイミングチャートを示したものである。上述の第２の実施形態と異なる点は、図１２および図１３に示すように、人体検知手段１２により人体の存在が検知されたとき、及び点灯保持時間ｔの間は、照度検出手段１１での検出照度が設定された消灯しきい値（α＋β値）以下であるかどうかの判定動作をしないことに特徴がある。
【００４８】
このように制御動作する照明装置においては、タイマー部１４のカウント値が所定時間を経過した場合であって、人体検知手段１２により人体の存在を検知したときには、制御部１３は照明負荷１８のフル点灯制御を継続し、また、人体検知終了後も点灯保持時間ｔの間は同様に照明負荷１８のフル点灯制御を継続するものである。その他の制御動作は上述の第２の実施形態と同様である。
【００４９】
そして、このように制御動作するため、本実施形態の照明装置においては、前記第２の実施形態と略同様の効果に加えて、人体検知手段１２により人体の存在が検知されたとき、及び点灯保持時間ｔの間は、照度検出手段１１での検出照度が設定された消灯しきい値（α＋β値）以下であるかどうかの判定動作をしないため、例えば、反射の強い白っぽい服を着た人などの反射光の影響により、照度検出手段１１での検出照度が設定された消灯しきい値を超えてしまう、という誤動作もなくすことができる。
【００５０】
なお、上述の第１ないし第３の実施形態においては、補正値（α値）を、照度検出手段１１にて読み込んだ検出照度（β値）に応じてα＝５０ルクスに相当する値に設定するとしていたが、何ルクスであっても良いことは言うまでもなく、それに限らず、例えば、５０〜１００ルクスに相当する連続的な値であっても良い。
【００５１】
また、上述の第１〜第２の参考形態において、照度検出手段１１によって検出された周囲の照度が予め設定された所定照度以下になると、人体検知手段１２が人体を検知しないときには、タイマー設定時間Ｔの間で、照明負荷１８を調光制御するとしていたが、調光制御に限らずフル点灯（１００％点灯）制御であっても良い。
【００５２】
また、上述の第１〜第３の実施形態に示した第一の制御手段においても、照度検出手段によって検出された周囲の照度が予め設定された所定照度以下になると、人体検知手段が人体を検知しないときには、タイマー設定時間Ｔの間で、照明負荷を調光制御するとしていたが、調光制御に限らずフル点灯（１００％点灯）制御であっても良く、更に、照度検出手段によって検出された周囲の照度が予め設定された所定照度以下になると、人体検知手段が人体を検知しないときには、消灯制御のままであっても良い。
【図面の簡単な説明】
【００５３】
【図１】本発明の第１および第２の参考形態の構成を示すブロック図である。
【図２】本発明の第１の参考形態の制御動作を示したフローチャートである。
【図３】本発明の第１の参考形態の制御動作を示したタイミングチャートである。
【図４】本発明の第１の参考形態の制御動作を示したタイミングチャートである。
【図５】本発明の第２の参考形態の制御動作を示したフローチャートである。
【図６】本発明の第２の参考形態の制御動作を示したタイミングチャートである。
【図７】本発明の第１、第２および第３の実施形態の構成を示すブロック図である。
【図８】本発明の第１の実施形態の制御動作を示したフローチャートである。
【図９】本発明の第１の実施形態の制御動作を示したタイミングチャートである。
【図１０】本発明の第２の実施形態の制御動作を示したフローチャートである。
【図１１】本発明の第２の実施形態の制御動作を示したタイミングチャートである。
【図１２】本発明の第３の実施形態の制御動作を示したフローチャートである。
【図１３】本発明の第３の実施形態の制御動作を示したタイミングチャートである。
【図１４】従来例の構成を示すブロック図である。
【図１５】従来例の制御動作を示したフローチャートである。
【図１６】従来例の制御動作を示したタイミングチャートである。
【図１７】従来例の制御動作を示したタイミングチャートである。
【符号の説明】
【００５４】
１０ 照明装置
１１ 照度検出手段
１２ 人体検知手段
１３ 制御部
１４ タイマー部
１８ 照明負荷
１９ 停電検知回路部
３０ スイッチ
【図１】
2006059828.tif 000003
【図２】
2006059828.tif 000004
【図３】
2006059828.tif 000005
【図４】
2006059828.tif 000006
【図５】
2006059828.tif 000007
【図６】
2006059828.tif 000008
【図７】
2006059828.tif 000009
【図８】
2006059828.tif 000010
【図９】
2006059828.tif 000011
【図１０】
2006059828.tif 000012
【図１１】
2006059828.tif 000013
【図１２】
2006059828.tif 000014
【図１３】
2006059828.tif 000015
【図１４】
2006059828.tif 000016
【図１５】
2006059828.tif 000017
【図１６】
2006059828.tif 000018
【図１７】
2006059828.tif 000019